(57)【特許請求の範囲】
【請求項１】
表示パネルとタッチパネルを含む表示装置の駆動方法であって、
前記表示パネルの複数本の走査線に行同期信号を提供するステップと、
前記タッチパネルの複数本のタッチ駆動信号線にタッチ駆動信号を提供するステップとを含む表示装置の駆動方法において、
少なくとも所定期間中に、前記行同期信号を受信する走査線の前記表示パネル上の正投影は、タッチ駆動信号を受信するタッチ駆動信号線の前記表示パネル上の正投影に重ならないことを特徴とし、
ワンフレーム画像表示の終了前の所定時刻で、前記表示パネルの複数本の走査線に行同期信号を提供するステップを停止させ、前記タッチパネルの複数本のタッチ駆動信号線にタッチ駆動信号を提供するステップを停止させるステップと、
前記表示パネルの雑音を検出するステップとをさらに含むことを特徴とする表示装置の駆動方法。
【請求項２】
請求項１に記載の表示装置の駆動方法において、
任意の時刻でも、前記行同期信号を受信する走査線の前記表示パネル上の正投影は、前記タッチ駆動信号を受信するタッチ駆動信号線の前記表示パネル上の正投影に重ならないことを特徴とする表示装置の駆動方法。
【請求項３】
請求項１に記載の表示装置の駆動方法において、
前記タッチ駆動信号の周波数は、前記行同期信号の周波数より大きいことを特徴とする表示装置の駆動方法。
【請求項４】
請求項１に記載の表示装置の駆動方法において、
前記表示パネルの複数本の走査線に行同期信号を提供するステップと、前記タッチパネルの複数本のタッチ駆動信号線にタッチ駆動信号を提供するステップは、同時に行なわれることを特徴とする表示装置の駆動方法。
【請求項５】
請求項１に記載の表示装置の駆動方法において、
前記表示パネルの雑音を検出するステップで取得する表示パネルの雑音に基づいて、前記タッチ駆動信号が前記雑音から干渉されなくなるまで、前記タッチ駆動信号のバースト周波数を調節するステップをさらに含むことを特徴とする表示装置の駆動方法。
【請求項６】
請求項１〜５のいずれか一項に記載の表示装置の駆動方法において、
前記タッチ駆動信号線をＮ（Ｎは、１より大きい）行目から最終行まで走査してから、１行目の前記走査線からＮ−１行目の前記走査線へ走査することを特徴とする表示装置の駆動方法。
【請求項７】
請求項１〜５のいずれか一項に記載の表示装置の駆動方法において、
前記表示パネルの１本目の走査線に行同期信号を提供すると同時に前記表示パネルの複数のデータ線にフィールド同期信号を提供するステップと、
前記表示パネルの１本目の走査線に行同期信号を提供すると同時に前記タッチパネルのタッチパネル駆動回路に同期制御信号を提供するステップと
をさらに含み、
前記タッチパネルのタッチパネル駆動回路が前記同期制御信号を受信すると同時に、前記タッチパネルの複数本のタッチ駆動信号線にタッチ駆動信号を提供するステップを実行することを特徴とする表示装置の駆動方法。
【請求項８】
複数本の走査線を含む表示パネルと、
複数本のタッチ駆動信号線を含むタッチパネルと、
行同期信号を複数本の前記走査線に順に提供するための行同期信号生成モジュールを含む表示パネル駆動回路と、
タッチ駆動信号を複数本の前記タッチ駆動信号線に提供するタッチ駆動信号生成モジュールを含むタッチパネル駆動回路とを含む表示装置において、
前記表示パネル駆動回路が提供する前記行同期信号及び前記タッチパネル駆動回路が提供する前記タッチ駆動信号は、
少なくとも所定期間中に、前記行同期信号を受信する走査線の前記表示パネル上の正投影と、前記タッチ駆動信号を受信するタッチ駆動信号線の前記表示パネル上の正投影とが重ならないことを満たすことを特徴とし、
前記行同期信号生成モジュールは、ワンフレーム画像表示の終了前の所定時刻で、前記表示パネルの複数本の走査線への行同期信号の提供を停止でき、
前記タッチ駆動信号生成モジュールは、ワンフレーム画像表示の終了前の所定時刻で、前記タッチパネルの複数本のタッチ駆動信号線へのタッチ駆動信号の提供を停止でき、
前記タッチパネルは、前記表示パネルの雑音を検出するための雑音検出モジュールをさらに含むことを特徴とする表示装置。
【請求項９】
請求項８に記載の表示装置において、
前記表示パネル駆動回路が提供する前記行同期信号及び前記タッチパネル駆動回路が提供する前記タッチ駆動信号は、
任意の時刻でも、前記行同期信号を受信する走査線の前記表示パネル上の正投影と、前記タッチ駆動信号を受信するタッチ駆動信号線の前記表示パネル上の正投影とが重ならないことをさらに満たすことを特徴とする表示装置。
【請求項１０】
請求項８に記載の表示装置において、
前記タッチ駆動信号線の幅は、前記表示パネルの画素幅の整数倍であることを特徴とする表示装置。
【請求項１１】
請求項８に記載の表示装置において、
前記表示パネルは、複数本のデータ線を含み、
前記表示パネル駆動回路は、前記データ線にフィールド同期信号を提供するためのフィールド同期信号生成モジュールと、同期制御信号生成モジュールをさらに含み、
ワンフレーム画像の表示中に、前記同期制御信号生成モジュールは、前記行同期信号生成モジュールが１本目の走査線に行同期信号を提供すると同時に前記タッチパネル駆動回路のタッチ駆動信号生成モジュールに同期制御信号を提供し、
前記タッチ駆動信号生成モジュールは、前記同期制御信号を受信すると同時に前記タッチ駆動信号を生成することを特徴とする表示装置。
【請求項１２】
請求項８に記載の表示装置において、
タッチ信号駆動回路は、
前記タッチパネル駆動回路から複数本の前記タッチ駆動信号線へのタッチ駆動信号の提供停止時に前記表示パネル駆動回路に第１フィードバック信号を送信できる第１フィードバック信号生成モジュールをさらに含み、
前記表示パネル駆動回路は、前記第１フィードバック信号を受信すると同時に前記行同期信号の出力を停止できることを特徴とする表示装置。
【請求項１３】
請求項８に記載の表示装置において、
前記雑音検出モジュールは、タッチ検知電極を含み、
前記タッチパネル駆動回路は、信号検出モジュールをさらに含み、
前記タッチ検知電極と前記信号検出モジュールは、接続されており、
前記タッチ検知電極は、前記タッチ駆動信号線と容量を形成でき、
前記信号検出モジュールは、前記タッチ検知電極に接続することにより、前記タッチ検知電極からの出力信号の変化を検出することを特徴とする表示装置。
【請求項１４】
請求項８に記載の表示装置において、
タッチ駆動回路は、
前記雑音検出モジュールで検出した検出結果を受信でき、前記タッチ駆動信号が前記雑音から干渉されなくなるまで、前記タッチ駆動信号のバースト周波数を調節するためのバースト周波数調節モジュールをさらに含むことを特徴とする表示装置の駆動方法。
【請求項１５】
請求項８に記載の表示装置において、
前記タッチパネル駆動回路は、
ワンフレーム画像表示の終了時に前記表示パネル駆動回路に第２フィードバック信号を送信するための第２フィードバック信号生成モジュールをさらに含み、
前記表示パネル駆動回路は、前記第２フィードバック信号を受信すると、引き続き行同期信号を送信するように前記行同期信号生成モジュールを制御することを特徴とする表示装置。
【発明の詳細な説明】
【技術分野】
【０００１】
本発明は、表示分野に係るものであり、具体的に、表示装置及び当該表示装置の駆動方法に係るものである。
【背景技術】
【０００２】
タッチパネルは、現在最も流行っている情報入力デバイスであり、ヒューマン・マシン・インタラクションを簡単的かつ便利に、自然的に実現でき、新たなマルチメディアインタラクションデバイスである。静電容量式タッチパネルは、タッチに敏感に反応し、マルチタッチに対応するといった利点を有する。
【０００３】
タッチと表示を集積させることは、全表示業界の発展傾向になっている。オンセル（Ｏｎ‐Ｃｅｌｌ）式タッチパネルは、軽くて薄く、工程が少ないという特徴を有し、２０１４から市場に売り出されてハイスピードの成長を見せる。
【０００４】
従来のオンセル式タッチパネルは、タッチ検知電極が表示パネルのカラーフィルム基板に位置するため、オンセル式タッチパネルのタッチ検知電極から表示パネルまでの距離が近すぎになり、表示パネル上の電極（走査線とデータ線を含む）により、オンセル式タッチパネルのタッチ検知電極に対して干渉雑音が大きく生じてしまう。オンセル式タッチパネルの信号対雑音比が充分に高くないため、オンセル式タッチパネル技術は、タッチ分野でローエンドと位置付けられている。
【０００５】
どのようにしてオンセル式タッチパネルの信号対雑音比を向上させることは、当該分野において解決急務である技術問題になっている。
【発明の概要】
【発明が解決しようとする課題】
【０００６】
本発明の目的は、表示装置及びその駆動方法を提供することであり、前記駆動方法により前記表示装置を駆動するときに、前記表示装置が比較的高い信号対雑音比を有する。
【課題を解決するための手段】
【０００７】
上記目的を実現するために、本発明の一側面として、表示装置の駆動方法を提供する。当該表示装置は、表示パネルとタッチパネルを含む。当該駆動方法は、前記表示パネルの複数本の走査線に行同期信号を提供するステップと、前記タッチパネルの複数本のタッチ駆動信号線にタッチ駆動信号を提供するステップとを含み、少なくとも所定期間中に、前記行同期信号を受信する走査線の前記表示パネル上の正投影と、タッチ駆動信号を受信するタッチ駆動信号線の前記表示パネル上の正投影とが重ならない。
【０００８】
任意の時刻でも、前記行同期信号を受信する走査線の前記表示パネル上の正投影と、前記タッチ駆動信号を受信するタッチ駆動信号線の前記表示パネル上の正投影とが重ならないことが好ましい。
【０００９】
前記タッチ駆動信号の周波数は、前記行同期信号の周波数より大きいことが好ましい。
【００１０】
前記表示パネルの複数本の走査線に行同期信号を提供するステップと、前記タッチパネルの複数本のタッチ駆動信号線にタッチ駆動信号を提供するステップは、同時に行なわれることが好ましい。
【００１１】
前記駆動方法は、ワンフレーム画像表示の終了前の所定時刻で、前記表示パネルの複数本の走査線に行同期信号を提供するステップを停止させ、前記タッチパネルの複数本のタッチ駆動信号線にタッチ駆動信号を提供するステップを停止させるステップと、前記表示パネルの雑音を検出するステップとをさらに含むことが好ましい。
【００１２】
前記駆動方法は、前記表示パネルの雑音を検出するステップで取得する表示パネルの雑音に基づいて、前記タッチ駆動信号が前記雑音から干渉されなくなるまで、前記タッチ駆動信号のバースト周波数を調節するステップをさらに含むことが好ましい。
【００１３】
前記タッチ駆動信号線をＮ（Ｎは、１より大きい）行目から最終行まで走査してから、１行目の前記走査線からＮ−１行目の前記走査線へ走査することが好ましい。
【００１４】
前記駆動方法は、前記表示パネルの１本目の走査線に行同期信号を提供すると同時に前記表示パネルの複数のデータ線にフィールド同期信号を提供するステップと、前記表示パネルの１本目の走査線に行同期信号を提供すると同時に前記タッチパネルのタッチパネル駆動回路に同期制御信号を提供するステップとをさらに含み、前記タッチパネルのタッチパネル駆動回路が前記同期制御信号を受信すると同時に、前記タッチパネルの複数本のタッチ駆動信号線にタッチ駆動信号を提供するステップを実行することが好ましい。
【００１５】
本発明の別の側面として、表示装置を提供する。前記表示装置は、複数本の走査線を含む表示パネルと、複数本のタッチ駆動信号線を含むタッチパネルと、行同期信号を複数本の前記走査線に順に提供するための行同期信号生成モジュールを含む表示パネル駆動回路と、タッチ駆動信号を複数本の前記タッチ駆動信号線に提供するためのタッチ駆動信号生成モジュールを含むタッチパネル駆動回路とを含み、前記表示パネル駆動回路が提供する前記行同期信号及び前記タッチパネル駆動回路が提供する前記タッチ駆動信号は、少なくとも所定期間中に、前記行同期信号を受信する走査線の前記表示パネル上の正投影と、前記タッチ駆動信号を受信するタッチ駆動信号線の前記表示パネル上の正投影とが重ならないことを満たす。
【００１６】
前記表示パネル駆動回路が提供する前記行同期信号及び前記タッチパネル駆動回路が提供する前記タッチ駆動信号は、任意の時刻でも、前記行同期信号を受信する走査線の前記表示パネル上の正投影と、前記タッチ駆動信号を受信するタッチ駆動信号線の前記表示パネル上の正投影とが重ならないことをさらに満たすことが好ましい。
【００１７】
前記タッチ駆動信号線の幅は、前記表示パネルの画素幅の整数倍であることが好ましい。
【００１８】
前記表示パネルは、複数本のデータ線を含み、前記表示パネル駆動回路は、フィールド同期信号生成モジュールと同期制御信号生成モジュールをさらに含み、前記フィールド同期信号生成モジュールは、前記データ線にフィールド同期信号を提供し、ワンフレーム画像の表示中に、前記同期制御信号生成モジュールは、前記行同期信号生成モジュールが１本目の走査線に行同期信号を提供すると同時に前記タッチパネル駆動回路のタッチ駆動信号生成モジュールに同期制御信号を提供し、前記タッチ駆動信号生成モジュールは、前記同期制御信号を受信すると同時に前記タッチ駆動信号を生成することが好ましい。
【００１９】
前記行同期信号生成モジュールは、ワンフレーム画像表示の終了前の所定時刻で、前記表示パネルの複数本の走査線への行同期信号の提供を停止でき、前記タッチ駆動信号生成モジュールは、ワンフレーム画像表示の終了前の所定時刻で、前記タッチパネルの複数本のタッチ駆動信号線へのタッチ駆動信号の提供を停止でき、前記タッチパネルは、前記表示パネルの雑音を検出するための雑音検出モジュールをさらに含むことが好ましい。
【００２０】
前記タッチ信号駆動回路は、前記タッチパネル駆動回路から複数本の前記タッチ駆動信号線へのタッチ駆動信号の提供停止時に前記表示パネル駆動回路に第１フィードバック信号を送信できる第１フィードバック信号生成モジュールをさらに含み、前記表示パネル駆動回路は、前記第１フィードバック信号を受信すると同時に前記行同期信号の出力を停止できることが好ましい。
【００２１】
前記雑音検出モジュールは、タッチ検知電極を含み、前記タッチパネル駆動回路は、信号検出モジュールをさらに含み、前記タッチ検知電極と前記信号検出モジュールは、接続されており、前記タッチ検知電極は、前記タッチ駆動信号線と容量を形成でき、前記信号検出モジュールは、前記タッチ検知電極に接続することにより、前記タッチ検知電極からの出力信号の変化を検出することが好ましい。
【００２２】
前記タッチ駆動回路は、前記雑音検出モジュールで検出した検出結果を受信でき、前記タッチ駆動信号が前記雑音から干渉されなくなるまで、前記タッチ駆動信号のバースト周波数を調節するためのバースト周波数調節モジュールをさらに含むことが好ましい。
【００２３】
前記タッチパネル駆動回路は、ワンフレーム画像表示の終了時に前記表示パネル駆動回路に第２フィードバック信号を送信するための第２フィードバック信号生成モジュールをさらに含み、前記表示パネル駆動回路は、前記第２フィードバック信号を受信すると、引き続き行同期信号を送信するように前記行同期信号生成モジュールを制御することが好ましい。
【発明の効果】
【００２４】
本発明において、前記表示装置が所定期間中に画面を表示するときに、行同期信号ＨＳＹＮＣを受信する走査線と、タッチ駆動信号Ｔｘを受信しているタッチ駆動信号線との位置は、ずれている。従って、行同期信号ＨＳＹＮＣを受信する走査線と、タッチ駆動信号Ｔｘを受信しているタッチ駆動信号線との間に容量結合がほとんど生じず、タッチパネルの上記所定期間内の信号対雑音比が向上する。
【００２５】
本発明の図面は、本発明をさらに理解するためのものであり、明細書の一部を構成して以下の具体的な実施形態とともに本発明を解釈するのみのために用いられ、本発明を限定するものではない。
【図面の簡単な説明】
【００２６】
【図１】本発明の駆動方法における各信号のシーケンス図である。
【図２】本発明の駆動方法の走査持続図である。
【図３】本発明の表示装置のモジュールを示す図面である。
【図４】タッチ駆動信号線の幅と画素の幅との関係を示す図面である。
【発明を実施するための形態】
【００２７】
以下、図面とともに本発明の具体的な実施形態を詳細に説明する。なお、ここで記載する具体的な実施形態は、本発明の説明と解釈に用いられるものに過ぎず、本発明を限定するためのものではない。
【００２８】
本発明の発明者は、従来技術のオンセル式表示装置の雑音について検出をした。前記表示装置は、液晶パネルである表示パネルと、表示パネルに設置され、タッチ駆動信号線とタッチ検知電極を含むタッチパネルとを含む。
【００２９】
タッチ駆動信号線は、対応するタッチ検知電極と容量を形成できる。複数本のタッチ駆動信号線にタッチ駆動信号を順に提供するときに、タッチ駆動信号を受信するタッチ駆動信号線は、対応するタッチ検知電極と結合して、当該タッチ検知電極内に生信号（ｒａｗ  ｄａｔａ）を生成させる。
【００３０】
まず、表示パネルがオフである場合に、本発明の発明者は、タッチパネルのタッチ検知電極内の生信号をインストルメントにより検出する。このような場合では、タッチパネルのタッチ検知電極から、正常な生信号が出力される。即ち、タッチ検知電極は、正常に動作する。ここでいう生信号は、タッチのない場合にタッチ検知電極から出力される信号である。その後、表示パネルがオンである場合に、本発明の発明者は、タッチパネルのタッチ検知電極内の生信号（ｒａｗ  ｄａｔａ）をインストルメントにより検出する。このような場合では、タッチ検知電極から出力される信号は、生信号ではない。タッチ検知電極から出力される信号の波形は、周期的に現れるピークの部分と、終始現れる安定信号の部分の両部分を含む。当該安定信号の信号値は、生信号の信号値と異なる。
【００３１】
本発明の発明者が検討した結果、前記タッチパネルが前記表示パネルに設置されるため、タッチパネル上のタッチ駆動信号が表示パネル上の走査線を覆うことになり、表示パネルがオンである場合に、タッチ駆動信号線及び当該タッチ駆動信号線で覆われる走査線が同時に信号を受信するときに、走査線と対応するタッチ駆動信号線との間に必ず容量結合（即ち、雑音）が生じ、タッチポイントの位置確定に影響を及ぶことになる。表示パネルの走査線による走査が更新するたびに、タッチ駆動信号線との間に比較的大きい結合容量（当該結合容量は、検出した周期的に現れるピークに対応する）が生じ、タッチ駆動信号の電気信号を変更させ、さらにタッチ駆動信号線に対応するタッチ検知電極で生成する電気信号を変更させる。
【００３２】
また、表示パネルの表示中に、当該表示パネルには液晶容量も存在する。当該液晶容量は、タッチ駆動信号線に影響を与え（即ち、液晶容量は、タッチ駆動信号線内の電気信号も変更させる）、生信号とは異なる信号値をタッチ検知電極に出力させる。
【００３３】
走査更新時の結合容量によるタッチ駆動信号線への影響を少なくとも一部的に克服するために、本発明の一側面として、表示装置の駆動方法を提供する。前記表示装置は、表示パネルと、表示パネルに設置されるタッチパネルを含む。言い換えれば、本発明は、オンセル式のタッチパネルを含む表示装置に適用する駆動方法を提供する。以上に記載したように、前記表示パネルは、複数本の走査線を含み、前記タッチパネルは、複数本のタッチ駆動信号線を含む。具体的に、前記駆動方法は、前記表示パネルの複数本の走査線に行同期信号ＨＳＹＮＣを提供するステップと、前記タッチパネルの複数本のタッチ駆動信号線にタッチ駆動信号Ｔｘを提供するステップとを含み、少なくとも所定期間中に、行同期信号ＨＳＹＮＣを受信する走査線の前記表示パネル上の正投影と、タッチ駆動信号Ｔｘを受信するタッチ駆動信号線の前記表示パネル上の正投影とが重ならない。
【００３４】
本発明において、前記表示装置が所定期間中に画面を表示するときに、行同期信号ＨＳＹＮＣを受信する走査線の前記表示パネル上の正投影と、タッチ駆動信号Ｔｘを受信するタッチ駆動信号線の前記表示パネル上の正投影とが重ならないため、行同期信号ＨＳＹＮＣを受信する走査線の位置は、タッチ駆動信号Ｔｘを受信しているタッチ駆動信号線の位置からずれている。従って、行同期信号ＨＳＹＮＣを受信する走査線と、タッチ駆動信号Ｔｘを受信しているタッチ駆動信号線との間に、容量結合がほとんど生じない。そのため、タッチ駆動信号線の中の電気信号もほとんど影響を受けず、タッチパネルの前記所定区間中の信号対雑音比が向上する。
【００３５】
前記タッチパネルの全表示中における信号対雑音比を向上させるために、任意の時刻でも、行同期信号ＨＳＹＮＣを受信する走査線の前記表示パネル上の正投影と、前記タッチ駆動信号Ｔｘを受信するタッチ駆動信号線の前記表示パネル上の正投影とが重ならないことが好ましい。即ち、前記表示パネルによる画像表示の任意の時刻でも、行同期信号ＨＳＹＮＣを受信している走査線は、タッチ駆動信号Ｔｘを受信しているタッチ駆動信号線からずれている。従って、画像表示の任意の時刻において、走査線とタッチ駆動信号との間の結合容量が比較的小さく、前記タッチパネルは、画像表示の任意の時刻において比較的高い信号対雑音比を有する。
【００３６】
前記表示パネル上の複数本のデータ線と複数本の走査線により、前記表示パネルを複数の画素ユニットに区分する。複数の画素ユニットは、複数行複数列で配列し、１本の走査線は、１行の画素ユニットに対応する。製造コストを抑えるために、複数行の画素ユニットを覆うことができるように、タッチパネル上のタッチ駆動信号線の幅を設定する。例えば、解像度が１２８０×７２０である表示装置の場合に、タッチ駆動信号線の幅は、画素ユニットの幅の１０７倍に設定される。即ち、１行のタッチ駆動信号線により、１０７行の画素ユニットを覆うことになる。対応的に、タッチ駆動信号Ｔｘのパルス幅は、行同期信号ＨＳＹＮＣのパルス幅の１０７倍に設置される。もちろん、本発明は、それに限定されない。タッチポイントの位置を精確に確定できるのであれば、タッチ駆動信号線の幅は、画素ユニットの幅の任意整数倍である。
【００３７】
タッチ信号に歪みがないことを保証するために、図１に示すように、タッチ駆動信号Ｔｘの周波数は、表示パネルの走査周波数より大きくなることが好ましい。通常、表示パネルの走査周波数が６０Ｈｚであるが、タッチ駆動信号Ｔｘの走査周波数は、１２０Ｈｚに設定される。
【００３８】
操作しやすくするために、図１に示すように、前記表示パネルの複数本の走査線に行同期信号ＨＳＹＮＣを提供するステップと、前記タッチパネルの複数本のタッチ駆動信号線にタッチ駆動信号Ｔｘを提供するステップは、同時に行なわれることが好ましい。
【００３９】
前記表示装置において、走査線とタッチ駆動信号線との間の結合容量によりタッチパネルに影響を与えるほか、表示パネルにおける液晶容量（図示せず）もタッチパネルに影響を与える。表示パネルにおける液晶容量によるタッチパネルへの影響を軽減するために、前記駆動方法は、ワンフレーム画像表示の終了前の所定時刻で、前記表示パネルの複数本の走査線に行同期信号ＨＳＹＮＣを提供するステップを停止させ、前記タッチパネルの複数本のタッチ駆動信号線にタッチ駆動信号Ｔｘを提供するステップを停止させるステップと、前記表示パネルの雑音を検出するステップとをさらに含むことが好ましい。
【００４０】
本発明による駆動方法において、ワンフレーム画像の表示時間は、表示期間と雑音検出期間の両部分に分けられる。雑音検出期間中に、画像表示をせず、液晶容量による雑音の検出のみをして、液晶容量による雑音の周波数、大きさなどのパラメータを精確に取得できる。雑音検出方法は、本分野の公知のものであり、ここでは詳細に記載しない。
【００４１】
前記表示パネルの雑音を検出すると、雑音から干渉されないよう、前記タッチ駆動信号Ｔｘに対して周波数ホッピングの調節を行う。具体的に、前記表示パネルの雑音を検出するステップで取得する表示パネルの雑音に基づいて、前記タッチ駆動信号Ｔｘが前記雑音から干渉されなくなるまで、前記タッチ駆動信号Ｔｘのバースト（ｂｕｒｓｔ）周波数を調節する。すなわち、雑音信号からずれるようにタッチ駆動信号Ｔｘのバースト周波数を調節し、雑音によりタッチ駆動信号線の中のタッチ駆動信号Ｔｘに影響を与えないようにし、タッチ検知電極とタッチ駆動信号線との結合によるタッチ検知信号に影響を与えず、さらにタッチポイントの位置座標をより安定に確定できる。
【００４２】
上記ステップは、ワンフレーム画像の表示に必要とされるステップであり、次のフレームの画像を表示するときに、上記ステップを繰り返す。
【００４３】
走査線の行同期信号ＨＳＹＮＣによるタッチ駆動信号Ｔｘへの影響をなるべく小さくするために、同一時刻において、行同期信号ＨＳＹＮＣを受信する走査線は、タッチ駆動信号Ｔｘを受信するタッチ駆動信号線からなるべく離れた方が好ましい。通常、１行目の走査線から表示パネルの複数本の走査線を１本１本走査するが、図２に示すように、前記タッチ駆動信号線をＮ（Ｎは、１より大きい）行目から最終行まで走査してから、１行目の前記走査線からＮ−１行目の前記走査線へ走査することが好ましい。
【００４４】
図２は、本発明の駆動方法の走査持続図である。図２において、実線の斜線は、行同期信号ＨＳＹＮＣにより、第１グループの画素から走査線を１行１行走査することを示し、実線の斜線の傾斜率は、行同期信号ＨＳＹＮＣの走査速度を示し、破線は、タッチ駆動信号Ｔｘによりタッチ駆動信号線を１行１行走査することを示し、破線の傾斜率は、タッチ駆動信号Ｔｘの走査速度を示す。
【００４５】
図２に示すように、各行のタッチ駆動信号線は、例えば１０７行の画素に対応する。第１グループ画素は、１行目から１０７行目の画素であり、第２グループ画素は、１０８行目から２１４行目の画素であり、類推して、第１１グループ画素は、１０７１行目から１１７７行目の画素であり、第１２グループ画素は、１１７８行目から１２８０行目の画素である。最終グループの画素の行数は、他のグループの画素より少ないことが明白である。
【００４６】
表示パネルが第１グループ画素から走査するときに、表示パネルの走査を避けるために、タッチパネルは、４行目のタッチ駆動信号線から走査し始める。しかし、９行目のタッチ駆動信号線の走査となると、タッチ駆動信号線の走査順を変更しなければ、当該９行目のタッチ駆動信号線は、走査中の画素を覆うことになる（即ち、走査中の信号線を覆う）。従って、このとき、９行目のタッチ駆動信号線の走査をせずに、１０行目のタッチ駆動信号線を走査する。１０行目のタッチ駆動信号線の走査終了後、引き続き９行目のタッチ駆動信号線に対してフライバック走査をする。９行目のタッチ駆動信号線の走査終了後、１１行目のタッチ駆動信号線と１２行目のタッチ駆動信号線を順に走査し、それから１行目のタッチ信号駆動線から３行目のタッチ信号駆動線までを１行１行走査する。ここまで、全タッチ信号駆動線の走査が終了する。
【００４７】
また、当業者は、表示装置に正常に表示させるために、前記駆動方法において、表示パネルの１本目の走査線に行同期信号ＨＳＹＮＣを提供すると同時に表示パネルのデータ線に列同期信号ＶＳＹＮＣを提供することをさらに含むが理解できる。当該列同期信号ＶＳＹＮＣは、パルス信号である。ワンフレーム画像の表示に１つの列同期信号ＶＳＹＮＣが対応する。
【００４８】
行同期信号ＨＳＹＮＣと前記タッチ駆動信号Ｔｘのシーケンスを制御しやすくするために、前記駆動方法において、表示前記パネルの１本目の走査線に行同期信号ＨＳＹＮＣを提供すると同時に前記タッチパネルのタッチパネル駆動回路に同期制御信号ＳＹＮＣを提供することをさらに含み、前記タッチパネルのタッチパネル駆動回路が前記同期制御信号ＳＹＮＣを受信すると同時に、前記タッチパネルの複数本のタッチ駆動信号線にタッチ駆動信号Ｔｘを提供するステップを実行することが好ましい。
【００４９】
同期制御信号ＳＹＮＣを提供する目的は、行同期信号ＨＳＹＮＣとタッチ駆動信号Ｔｘを同時に送信させることにより、後続の工程中に行同期信号ＨＳＹＮＣとタッチ駆動信号Ｔｘのシーケンスを制御しやすくすることにある。
【００５０】
本発明の別の側面として、表示装置を提供し、前記方法により前記表示装置を駆動できる。図３に示すように、前記表示装置は、表示パネル１００と、タッチパネル３００と、表示パネル駆動回路２００と、タッチパネル駆動回路４００とを含む。表示パネル１００は、複数本の走査線１１０を含む。タッチパネル３００は、複数本のタッチ駆動信号線３１０を含む。表示パネル駆動回路２００は、行同期信号ＨＳＹＮＣを複数本の走査線１１０に順に提供するための行同期信号生成モジュール２１０を含む。タッチパネル駆動回路４００は、タッチ駆動信号Ｔｘを複数本のタッチ駆動信号線３１０に提供するタッチ駆動信号生成モジュール４１０を含む。前記表示パネル駆動回路２００が提供する前記行同期信号ＨＳＹＮＣ及び前記タッチパネル駆動回路４００が提供する前記タッチ駆動信号Ｔｘは、少なくとも所定期間中に、前記行同期信号ＨＳＹＮＣを受信する走査線１１０の前記表示パネル１００上の正投影と、前記タッチ駆動信号Ｔｘを受信するタッチ駆動信号線３１０の前記表示パネル１００上の正投影とが重ならないことを満たす。
【００５１】
以上に記載したように、少なくとも所定期間中に、行同期信号ＨＳＹＮＣを受信する走査線１１０と、タッチ駆動信号Ｔｘを受信するタッチ駆動信号線３１０とがずれるため、走査線１１０とタッチ駆動信号線３１０との間の結合容量を低下させ、タッチパネル３００の信号対雑音比の向上に有利であり、タッチポイントの位置座標を精確に確定できる。
【００５２】
前記タッチパネル３００の全表示中における信号対雑音比を向上させるために、前記表示パネル駆動回路２００が提供する前記行同期信号ＨＳＹＮＣ及び前記タッチパネル駆動回路４００が提供する前記タッチ駆動信号Ｔｘは、任意の時刻でも、前記行同期信号ＨＳＹＮＣを受信する走査線１１０の前記表示パネル１００上の正投影と、前記タッチ駆動信号Ｔｘを受信するタッチ駆動信号線３１０の前記表示パネル１００上の正投影とが重ならないことをさらに満たすことが好ましい。
【００５３】
以上に記載したように、製造コストを抑えるために、本発明による表示装置において、前記タッチ駆動信号線３１０の幅は、前記表示パネル１００の画素幅の整数倍であることが好ましい。タッチ駆動信号線３１０は、透明電極材料で製造できることは明白である。
【００５４】
図４は、タッチ駆動信号線の幅と画素の幅との関係を示す図面である。図４において、実線は、タッチ駆動信号線３１０の輪郭を示し、点線は、画素ユニットの輪郭を示す。図４によると、各タッチ駆動信号線３１０の幅は、各行画素の幅の２倍である。もちろん、図４は、単にタッチ駆動信号線３１０の幅が画素の幅より大きいという説明に用いられるものであり、実際に表示装置を製造するときにタッチ駆動信号線３１０の幅を画素の幅の２倍に設定しなければならないことを意味しない。以上に記載したように、解像度が１２８０×７２０である表示装置の場合に、タッチ駆動信号線３１０の幅は、画素ユニットの幅の１０７倍である。
【００５５】
前記表示パネル１００は、複数本のデータ線１２０を含み、前記表示パネル駆動回路２００は、データ線１２０にフィールド同期信号ＶＳＹＮＣを提供するためのフィールド同期信号生成モジュール２２０をさらに含むことは明白である。データ線１２０がフィールド同期信号ＶＳＹＮＣを受信すると、ワンフレーム画像の開始を意味する。
【００５６】
以上に記載したように、タッチ駆動信号Ｔｘと行同期信号ＨＳＹＮＣは、同期的に形成される。この目的を実現するために、表示パネル駆動回路２００は、タッチパネル駆動回路４００のタッチ駆動信号生成モジュール４１０に同期制御信号ＳＹＮＣを提供する同期制御信号生成モジュール２３０をさらに含む。ワンフレーム画像の表示中に、同期制御信号生成モジュール２３０は、行同期信号生成モジュール２１０が１本目の走査線に行同期信号ＨＳＹＮＣを提供すると同時にタッチ駆動信号生成モジュール４１０に同期制御信号ＳＹＮＣを提供し、タッチ駆動信号生成モジュール４１０は、同期制御信号ＳＹＮＣを受信すると同時にタッチ駆動信号Ｔｘを生成する。前記同期制御信号ＳＹＮＣは、ワンフレーム画像表示時の１つ目の行同期信号ＨＳＹＮＣと同期的に生成され、走査信号及びタッチ駆動信号Ｔｘのシーケンスを制御しやすくする。
【００５７】
表示パネル１００の液晶容量によるタッチパネル３００への影響を除去するために、行同期信号生成モジュール２１０は、ワンフレーム画像表示の終了前の所定時刻で、表示パネル１００の複数本の走査線１１０への行同期信号ＨＳＹＮＣの提供を停止でき、タッチ駆動信号生成モジュール４１０は、ワンフレーム画像表示の終了前の所定時刻で、タッチパネル３００の複数本のタッチ駆動信号線３１０へのタッチ駆動信号Ｔｘの提供を停止できることが好ましい。このとき、タッチパネル３００は、表示パネル１００の雑音を検出するための雑音検出モジュール（図示せず）をさらに含む。ここで、表示パネル１００の雑音は、タッチパネル３００のタッチ検知電極３２０で検知した信号に対する表示パネル１００の液晶容量の影響をさす。
【００５８】
本発明において、タッチパネル３００のタッチ検知電極３２０に対する液晶容量の影響を、多種類の方法により除去できる。雑音検出モジュールは、様々な態様を有する。
本発明の１つの具体的な実施形態として、前記雑音検出モジュールは、タッチ検知電極３２０を含み、前記タッチパネル駆動回路４００は、信号検出モジュール４３０をさらに含み、タッチ検知電極３２０と信号検出モジュール４３０は、接続されており、タッチ検知電極３２０は、タッチ駆動信号線３１０と容量を形成でき、信号検出モジュール４３０は、タッチ検知電極３２０に接続することにより、タッチ検知電極３２０からの出力信号の変化を検出することが好ましい。
【００５９】
ここの雑音検出モジュールのタッチ検知電極３２０は、タッチパネル３００のタッチ検知電極であり、雑音検出用以外、前記タッチパネル３００で人の指がタッチするときに引き起こすタッチ検知電極３２０とタッチ駆動信号線３１０との間の容量の変化を検出することに用いられることが明白である。タッチ検知電極３２０を雑音検出モジュールの一部として用いることは、表示装置の構造の簡単化に有利である。
【００６０】
以上に記載したように、ワンフレーム画像の表示時間は、表示期間と雑音検出期間の両部分に分けられる。雑音検出期間中にタッチ駆動信号Ｔｘ、行同期信号ＨＳＹＮＣ及びフィールド同期信号ＶＳＹＮＣを同時に停止させることができるために、タッチ信号駆動回路４００は、前記タッチパネル駆動回路４００から複数本の前記タッチ駆動信号線３１０へのタッチ駆動信号Ｔｘの提供停止時に表示パネル駆動回路２００（具体的に、表示パネル駆動回路２００の行同期信号生成モジュール２１０）に第１フィードバック信号ＴＥＮＤ１を送信できる第１フィードバック信号生成モジュール４２０をさらに含み、表示パネル駆動回路２００（具体的に、表示パネル駆動回路２００の行同期信号生成モジュール２１０）は、前記第１フィードバック信号ＴＥＮＤ１を受信すると同時に前記行同期信号ＨＳＹＮＣの出力を停止できるが好ましい。
【００６１】
以上に記載したように、前記表示パネル１００の液晶容量により前記タッチパネル３００で生成する雑音を検出する目的は、前記液晶容量によるタッチパネル３００への影響を低下させ、除去させることである。以下、前記液晶容量によるタッチパネル３００への影響をどのように低下させ除去させることを紹介する。上記目的を実現するために、タッチ駆動回路のタッチ駆動信号Ｔｘに対して周波数ホッピングの調節を行うことができる。具体的に、前記タッチパネル駆動回路４００は、前記雑音検出モジュールで検出した検出結果を受信でき、前記タッチ駆動信号Ｔｘが前記雑音から干渉されなくなるまで、前記タッチ駆動信号Ｔｘのバースト周波数を調節するためのバースト周波数調節モジュール４５０をさらに含む。本発明において、信号検出モジュール４３０により、前記雑音検出モジュールで検出した検出結果を受信でき、検出結果を前記バースト周波数調節モジュール４５０に送信できる。
【００６２】
ワンフレーム画像の表示終了後、表示装置は、次のフレームの画像を引き続き表示して、連続する画像を表示する。画像を連続的に表示させるために、前記タッチパネル駆動回路４００は、ワンフレーム画像表示の終了時に前記表示パネル駆動回路２００（具体的に、前記表示パネル駆動回路２００の行同期信号生成モジュール２１０）に第２フィードバック信号ＴＥＮＤ２を送信するための第２フィードバック信号生成モジュール４４０をさらに含み、前記表示パネル駆動回路２００（具体的に、前記表示パネル駆動回路２００の行同期信号生成モジュール２１０）は、前記第２フィードバック信号ＴＥＮＤ２を受信すると、引き続き行同期信号ＨＳＹＮＣを送信するように前記行同期信号生成モジュール２１０を制御することが好ましい。
【００６３】
以上の実施形態は、本発明の原理を説明するために採用した例示的な実施形態に過ぎず、本発明は、これに限定されない。当業者は、本発明の精神と実質を逸脱せずに、様々な変形や改良をすることができる。これらの変形や改良も、本発明の保護範囲にみなされる。
【符号の説明】
【００６４】
１００：表示パネル
１１０：走査線
１２０：データ線
２００：表示パネル駆動回路
２１０：行同期信号生成モジュール
２２０：フィールド同期信号生成モジュール
２３０：同期制御信号生成モジュール
３００：タッチパネル
３１０：タッチ駆動信号線
３２０：タッチ検知電極
４００：タッチパネル駆動回路
４１０：タッチ駆動信号生成モジュール
４２０：第１フィードバック信号生成モジュール
４３０：信号検出モジュール
４４０：第２フィードバック信号生成モジュール
４５０：バースト周波数調節モジュール
【図１】
0006478303.tif 000002
【図２】
0006478303.tif 000003
【図３】
0006478303.tif 000004
【図４】
0006478303.tif 000005